(57)【特許請求の範囲】
【請求項１】
平面視環状で、複数の炎孔が周方向に所定の間隔をおいて配設された炎孔部と、その下部に位置するバーナ本体であって、中央部を上下方向に貫通し、前記環状の炎孔部の内側空間と連通する貫通孔を備えたバーナ本体とを有するコンロバーナと、
前記コンロバーナを収容するコンロ本体と、
前記コンロ本体の上面を覆うとともに、前記コンロバーナの前記炎孔部を上方に露出させるコンロバーナ挿通口を備えた、前記コンロ本体の天面部を構成するトッププレートと、
前記コンロ本体に固定され、前記コンロバーナを所定の支持姿勢に維持して固定するバーナ受け桟と、
前記コンロ本体に固定され、前記コンロ本体の上面側からみて、前記バーナ受け桟との間に所定の間隔をおいて、前記バーナ受け桟と対向するように配設された、前記コンロバーナに燃料ガスを噴出するガスノズルを固定するためのノズルホルダーと、
前記貫通口より侵入した煮汁を受ける煮こぼれレシーバと
を備えたガスコンロであって、
前記コンロ本体の上面側からみて、前記バーナ受け桟と、前記ノズルホルダーの間に設けられた、前記煮こぼれレシーバが収容される空間である収容部と、
前記バーナ受け桟に設けられ、前記煮こぼれレシーバの一端側を嵌り込ませることにより、前記煮こぼれレシーバを所定の姿勢で保持するように構成されたレシーバ保持部と、
前記ノズルホルダーに設けられ、前記煮こぼれレシーバの他端側を支持するレシーバ支持体とを備え、
前記煮こぼれレシーバが、前記収容部に収容され、かつ、前記バーナ受け桟に設けた前記レシーバ保持部と、前記ノズルホルダーに設けた前記レシーバ支持体とにより、所定の姿勢で、かつ、抜け落ちることがないように保持されていること
を特徴とするガスコンロ。
【請求項２】
前記バーナ受け桟と前記ノズルホルダーが対向する対向方向を、ガスコンロに正対した場合における前後方向とし、前記対向方向に直交する直交方向がガスコンロに正対した場合における左右方向とした場合に、
前記煮こぼれレシーバは周縁に堰体を備え、前記堰体の左右の両側に、前記堰体が欠損し、受け止めた煮汁を前記煮こぼれレシーバから外部に排出する排出部を備え、かつ、
前記煮こぼれレシーバの一端側を嵌り込ませて保持するレシーバ保持部が、前記煮こぼれレシーバを左または右に傾斜させた所定の姿勢で保持するように構成されており、
前記煮こぼれレシーバで受け止めた煮汁が、前記煮こぼれレシーバの左右の両側に設けた排出部のいずれか一方から、前記煮こぼれレシーバの外部に排出されるように構成されていること
を特徴とする請求項１記載のガスコンロ。
【発明の詳細な説明】
【技術分野】
【０００１】
本発明は、天板の開口からコンロバーナの炎口部を天板上に突出させた構造を備えたガスコンロに関する。
【背景技術】
【０００２】
ガスコンロには、天板のバーナ挿通開口からコンロバーナの炎口を天板上に突出させた構造を有するガスコンロがある（特許文献１参照）。
【０００３】
この特許文献１のガスコンロにおいて、天板のバーナ挿通開口から天板上に挿通させたコンロバーナは、コンロバーナを上下に貫通する貫通口を有しており、この貫通口を調理容器の底部の温度を検知する温度センサーが挿通されているとともに、貫通口を通って燃焼用二次空気が炎孔部に供給されるように構成されている。
【０００４】
しかしながら、上述のように構成された特許文献１のガスコンロの場合、調理容器からの煮こぼれが発生すると、煮汁が上記貫通口よりガスコンロの機器本体内に侵入することになる。
【０００５】
そして、煮汁が機器本体内に侵入して、機器本体内に収納された機能部品に煮汁が付着したり、その細部に入り込んだりすると、機能部品に故障が発生する惧れがある。
【０００６】
そこで、そのような不具合を生じさせないために、貫通口より侵入した煮汁を受けるための煮こぼれレシーバを設けることが考えられる。
【０００７】
しかしながら、貫通口より侵入した煮汁を受けるための煮こぼれレシーバを設ける場合には、ネジなどの止着用部材によって煮こぼれレシーバを所定の装着位置に固定することが必要になる。そのため、煮こぼれレシーバを設けない場合には必要のない煮こぼれレシーバを固定するための止着用部材が必要になるばかりでなく、止着用部材によって煮こぼれレシーバを所定の装着位置に固定するための組み立て工程（作業）が必要になり、製造コストの増大を招くという問題点がある。
【先行技術文献】
【特許文献】
【０００８】
【特許文献１】特開２０１２−０６３０９３号公報
【発明の概要】
【発明が解決しようとする課題】
【０００９】
本発明は、上記課題を解決するものであり、コンロバーナを上下に貫通する貫通口から機器本体内に侵入した煮汁を受ける煮こぼれレシーバを設ける場合において、煮こぼれレシーバを止着するための止着用部材が不要で、材料コストや組み立てコストの増大を招くことがなく、経済性に優れ、信頼性の高いガスコンロを提供することを目的とする。
【課題を解決するための手段】
【００１０】
上記の目的を達成するために、本発明のガスコンロは、
平面視環状で、複数の炎孔が周方向に所定の間隔をおいて配設された炎孔部と、その下部に位置するバーナ本体であって、中央部を上下方向に貫通し、前記環状の炎孔部の内側空間と連通する貫通孔を備えたバーナ本体とを有するコンロバーナと、
前記コンロバーナを収容するコンロ本体と、
前記コンロ本体の上面を覆うとともに、前記コンロバーナの前記炎孔部を上方に露出させるコンロバーナ挿通口を備えた、前記コンロ本体の天面部を構成するトッププレートと、
前記コンロ本体に固定され、前記コンロバーナを所定の支持姿勢に維持して固定するバーナ受け桟と、
前記コンロ本体に固定され、前記コンロ本体の上面側からみて、前記バーナ受け桟との間に所定の間隔をおいて、前記バーナ受け桟と対向するように配設された、前記コンロバーナに燃料ガスを噴出するガスノズルを固定するためのノズルホルダーと、
前記貫通口より侵入した煮汁を受ける煮こぼれレシーバと
を備えたガスコンロであって、
前記コンロ本体の上面側からみて、前記バーナ受け桟と、前記ノズルホルダーの間に設けられた、前記煮こぼれレシーバが収容される空間である収容部と、
前記バーナ受け桟に設けられ、前記煮こぼれレシーバの一端側を嵌り込ませることにより、前記煮こぼれレシーバを所定の姿勢で保持するように構成されたレシーバ保持部と、
前記ノズルホルダーに設けられ、前記煮こぼれレシーバの他端側を支持するレシーバ支持体とを備え、
前記煮こぼれレシーバが、前記収容部に収容され、かつ、前記バーナ受け桟に設けた前記レシーバ保持部と、前記ノズルホルダーに設けた前記レシーバ支持体とにより、所定の姿勢で、かつ、抜け落ちることがないように保持されていること
を特徴としている。
【００１１】
また、本発明のガスコンロにおいては、
前記バーナ受け桟と前記ノズルホルダーが対向する対向方向を、ガスコンロに正対した場合における前後方向とし、前記対向方向に直交する直交方向がガスコンロに正対した場合における左右方向とした場合に、
前記煮こぼれレシーバは周縁に堰体を備え、前記堰体の左右の両側に、前記堰体が欠損し、受け止めた煮汁を前記煮こぼれレシーバから外部に排出する排出部を備え、かつ、
前記煮こぼれレシーバの一端側を嵌り込ませて保持するレシーバ保持部が、前記煮こぼれレシーバを左または右に傾斜させた所定の姿勢で保持するように構成されており、
前記煮こぼれレシーバで受け止めた煮汁が、前記煮こぼれレシーバの左右の両側に設けた排出部のいずれか一方から、前記煮こぼれレシーバの外部に排出されるように構成されていることが好ましい。
【発明の効果】
【００１２】
本発明のガスコンロは、上述のように構成されており、バーナ受け桟と、ノズルホルダーの間に設けられた、煮こぼれレシーバが収容される空間である収容部と、バーナ受け桟に設けられ、煮こぼれレシーバの一端側を嵌り込ませることにより、煮こぼれレシーバを所定の姿勢で保持するように構成されたレシーバ保持部と、ノズルホルダーに設けられ、煮こぼれレシーバの他端側を支持するレシーバ支持体とを備え、煮こぼれレシーバが、収容部（レシーバ収容空間）に収容され、かつ、バーナ受け桟に設けたレシーバ保持部と、ノズルホルダーに設けたレシーバ支持体とにより、所定の姿勢で、抜け落ちることがないように保持されるように構成されているので、簡潔な構成で、煮こぼれを煮こぼれレシーバにより受けることが可能で、煮こぼれが、コンロバーナを上下に貫通する貫通口から、機器本体内に侵入することを確実に防止することができるガスコンロを提供することが可能になる。
【００１３】
そして、本発明のガスコンロによれば、煮こぼれレシーバをコンロ本体に固定するための止着部材（例えば、ボルト、ナットなどの止着部材）を必要とすることなく、煮こぼれレシーバを意図する姿勢で確実に配設することができるため、材料費や組み立て費の増大を招くことがなく、経済性に優れたガスコンロを提供することが可能になる。
【００１４】
また、バーナ受け桟とノズルホルダーが対向する対向方向を前後方向とし、対向方向に直交する直交方向がガスコンロに正対した場合における左右方向とした場合に、煮こぼれレシーバは周縁に堰体を備え、堰体の左右の両側に、堰体が欠損し、受け止めた煮汁を前記煮こぼれレシーバから外部に排出する排出部を備え、かつ、煮こぼれレシーバの一端側を嵌り込ませて保持するレシーバ保持部が、煮こぼれレシーバを左または右に傾斜させた所定の姿勢で保持するように構成されており、煮こぼれレシーバで受け止めた煮汁が、煮こぼれレシーバの左右の両側に設けた排出部のいずれか一方から、煮こぼれレシーバの外部に排出されるように構成されているので、受け止めた煮汁を、煮こぼれレシーバの左右の排出部のいずれから外部に排出するかを制御できることになり、複数の煮こぼれレシーバを共通品で構成することが可能になり、部品の種類を低減して、製造コストを抑えることが可能になる。
【００１５】
すなわち、レシーバ保持部を、煮こぼれレシーバを左または右に傾斜させた状態で保持することができるように構成した場合、排出部が左右の両側に配設されていても、受け止めた煮汁を低い位置にある方の排出部から確実に外部に排出されるようにすることが可能になるため、ガスコンロに複数の煮こぼれレシーバを設ける場合に、同じ構造の煮こぼれレシーバ（共通品）で対応することが可能になり、コストの低減を図ることができる。
【図面の簡単な説明】
【００１６】
【図１】本発明の一実施形態にかかるガスコンロの全体構成を示す斜視図である。
【図２】本発明の一実施形態にかかるガスコンロの構成を、トッププレートを省略して示す斜視図である。
【図３】本発明の一実施形態にかかるガスコンロの構成を、コンロバーナおよびトッププレートを省略して示す斜視図である。
【図４】本発明の一実施形態にかかるガスコンロの構成を、煮こぼれレシーバ、コンロバーナおよびトッププレートを省略して示す斜視図である。
【図５】本発明の一実施形態にかかるガスコンロにおける、煮こぼれレシーバの装着過程を示す斜視図である。
【図６】本発明の一実施形態にかかるガスコンロの要部構成を模式的に示す斜視図である。
【発明を実施するための形態】
【００１７】
以下、本発明の実施形態を示して、その特徴とするところをさらに詳しく説明する。
【００１８】
［実施形態］
この実施形態１にかかるガスコンロ１は、図１〜３に示すように、コンロ本体１０の天面部を構成するトッププレート３０と、トッププレート３０に配置された、２つのコンロバーナ２１，２２を有するコンロ部２ａと、グリル２ｂとを備えたガステーブルコンロである。
【００１９】
また、このガスコンロ１において、コンロ本体１０の前面を構成する前面パネル１１には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前面パネル１１には電池ケース４２が配設されている。
【００２０】
また、ガスコンロ１は、コンロ本体１０のコンロバーナ２１，２２の火力を調節する火力調節レバー５１，５２およびグリル部２ｂを構成するグリルバーナ（図示せず）の火力を調節する火力調節レバー５３を備えている。
【００２１】
そして、この実施形態にかかるガスコンロ１において用いられているコンロバーナ２１，２２は、平面形状が環状で、複数の炎孔２１ａ，２２ａが周方向に所定の間隔をおいて配設された炎孔部２１ｂ，２２ｂと、その下部に位置するバーナ本体２１ｃ，２２ｃを備えている。
【００２２】
そして、バーナ本体２１ｃ，２２ｃは、中央部を上下方向に貫通し、環状の炎孔部２１ｂ，２２ｂの内側空間２１ｄ，２２ｄと連通する貫通孔（図示せず）を備えている。そして、調理容器の底部の温度を検知する温度センサーがこの貫通口を貫通するように配設されている。
【００２３】
また、上記コンロバーナ２１，２２は、コンロ本体１０に収容されており、炎孔部２１ａ，２２ａが、トッププレート３０のコンロバーナ挿通口３１から上方に露出するように構成されている。
【００２４】
また、ガスコンロ１は、図２〜５に示すように、コンロ本体１０に固定され、コンロバーナ２１，２２を所定の支持姿勢に維持して固定するバーナ受け桟６１，６２を備えている。
【００２５】
さらに、コンロ本体１０内には、コンロ本体１０に固定され、コンロバーナ２１，２２に対し燃料ガスを噴出するガスノズル２１ｅ，２２ｅ（図２）が固定されるノズルホルダー７１，７２と、上述の環状の炎孔部２１ｂ，２２ｂの内側空間２１ｄ，２２ｄ、および、内側空間２１ｄ，２２ｄと連通するバーナ本体２１ｃ，２２ｃの貫通口（図示せず）より侵入する煮汁を受ける、上面側が開口した煮こぼれレシーバ８１，８２（図２，３，５）とを備えている。
【００２６】
＜本発明の実施形態にかかるガスコンロの特徴構成＞
この実施形態にかかるガスコンロ１は、図２〜５に示すように、コンロ本体１０の上面側からみて、バーナ受け桟６１，６２と、ノズルホルダー７１，７２の間に、煮こぼれレシーバ８１，８２が収容される空隙である収容部（レシーバ収容空間）９１，９２（図４）が設けられている。
【００２７】
そして、バーナ受け桟６１，６２に設けられた立設部６１ａ，６２ａには、煮こぼれレシーバ８１，８２の一端側を保持するためのレシーバ保持部（切り欠き）１６１，１６２が形成されている。なお、レシーバ保持部１６１，１６２（切り欠き）は、煮こぼれレシーバ８１，８２の一端側（に設けられた係合構造部８１ｃ，８２ｃ）を嵌り込ませることにより、煮こぼれレシーバ８１，８２を所定の姿勢で保持することができるように構成されている。
【００２８】
また、ノズルホルダーに７１，７２には、煮こぼれレシーバ８１，８２の一端側に対する他端側を支持するレシーバ支持体７１ａ，７２ａが設けられている。
【００２９】
そして、収容凹部９１，９２に収容された煮こぼれレシーバ８１，８２は、その一端側（に設けられた係合構造部８１ｃ，８２ｃ）がバーナ受け桟に設けられた立設部６１ａ，６２ａのレシーバ保持部（切り欠き）１６１，１６２に嵌り込んで保持され、他端側が、ノズルホルダー７１，７２に設けられたレシーバ支持体７１ａ，７２ａに支持されることにより、特に固定用治具を用いることなく、収容部（レシーバ収容空間）９１，９２に、所定の姿勢で、かつ、抜け落ちることがないように保持されている。
【００３０】
なお、煮こぼれレシーバ８１，８２の一端側（に設けられた係合構造部８１ｃ，８２ｃ）がバーナ受け桟６１，６２に設けられた立設部６１ａ，６２ａのレシーバ保持部（切り欠き）１６１，１６２に嵌り込んで保持され、他端側が、ノズルホルダー７１，７２に設けられたレシーバ支持体７１ａ，７２ａに支持された状態で、コンロバーナ２１，２２を所定の支持姿勢（図２に示す姿勢）に維持してバーナ受け桟６１，６２に固定したとき、煮こぼれレシーバ８１，８２とコンロバーナ２１，２２との干渉によって、煮こぼれレシーバ８１，８２が収容部９１，９２から抜け出すことが規制されるように構成される。
【００３１】
すなわち、この実施形態のガスコンロ１においては、煮こぼれレシーバ８１，８２の一端側には、煮こぼれレシーバ８１，８２を構成する板状部材の一部を折り曲げ加工することにより形成された係合構造部８１ｃ，８２ｃが設けられており、この係合構造部８１ｃ，８２ｃが、バーナ受け桟に設けられた立設部６１ａ，６２ａのレシーバ保持部（切り欠き）１６１，１６２に嵌り込むことにより、煮こぼれレシーバ８１，８２が脱落することなく確実に保持されるように構成されている。
これに加え、この実施形態では、コンロバーナ２１，２２を支持姿勢（図２に示す姿勢）に維持してバーナ受け桟６１，６２に固定したとき、コンロバーナ２１，２２によって、煮こぼれレシーバ８１，８２が収容部９１，９２から抜け出すことが規制されるように構成されており、煮こぼれレシーバ８１，８２の脱落が確実に防止される。
【００３２】
この実施形態のガスコンロ１は、このように構成されていることから、上述の炎孔部２１ｂ，２２ｂの内側空間２１ｄ，２２ｄ（図１）、および、内側空間２１ｄ，２２ｄと連通するバーナ本体２１ｃ，２２ｃの貫通口（図示せず）から侵入する煮汁を受けるための煮こぼれレシーバ８１，８２を設ける場合において、煮こぼれレシーバを固定するための固定用治具を特に必要としないため、材料費や組み立て費の増大を抑制して、経済性に優れ、信頼性の高いガスコンロを提供することが可能になる。
因みに、煮こぼれレシーバ８１，８２を備えない場合であっても、コンロバーナ２１，２２は、バーナ受け桟６１，６２に固定されて支持姿勢（図２に示す姿勢）に維持されることから、レシーバ８１，８２をコンロ本体１０に固定するために特段の止着部材が必要になることはない。
【００３３】
なお、この実施形態のガスコンロ１においては、環状の炎孔部２１ｂ，２２ｂの内側空間２１ｄ，２２ｄ、および、バーナ本体２１ｃ，２２ｃの貫通口を通ってコンロ本体１０の内部に侵入した煮汁は、一旦、バーナ受け桟６１，６２に受け止められた後、煮こぼれレシーバ８１，８２内に流下することになる。
【００３４】
また、この実施形態のガスコンロ１では、煮こぼれレシーバ８１，８２として、その周縁に堰体（図５）８１ａ，８２ａが立設された構造を有する煮こぼれレシーバ８１，８２が用いられている。
【００３５】
そして、煮こぼれレシーバ８１，８２の左右両側の堰体８１ａ，８２ａの、前面パネル１１側からみて奥側には、受け止めた煮汁を煮こぼれレシーバ外に排出する排出部（切り欠き）８１ｂ，８２ｂ（図５，図６）が設けられている。なお、排出部８１ｂ，８２ｂは、堰体８１ａ，８２ａが欠損した領域として構成されている。
【００３６】
そして、この実施形態のガスコンロ１では、バーナ受け桟６１，６２と、ノズルホルダー７１，７２が対向する対向方向を、ガスコンロ１に正対した場合における前後方向とし、この前後方向と直交する直交方向がガスコンロ１に正対した場合における左右方向とした場合に、レシーバ保持部（切り欠き）１６１，１６２の底辺１６１ａ，１６２ａはいずれも、左右方向の中央側が低くなるように傾斜して形成されており（図４，５など参照）、煮こぼれレシーバ８１，８２が左右方向の中央側および後側が低くなるような姿勢で保持されている（図６参照）。また、煮こぼれレシーバ８１，８２が、前後方向についてみた場合における後側（奥側）が前側（手前側）よりも低くなるように構成されている。
【００３７】
したがって、この実施形態のガスコンロ１においては、煮こぼれレシーバ８１，８２の受けた煮汁が、それぞれの中央側の排出部８１ｂ，８２ｂから外部に排出されることになる。すなわち、この実施形態では、正面視で左側（図３では右側）に位置する煮こぼれレシーバ８１の右側（図３では左側）が下方に位置し、正面視で右側（図３では左側）に位置する煮こぼれレシーバ８２の左側（図３では右側）が下方に位置するように傾斜した状態で保持されている。そして、受け止めた煮汁が、正面視で左側に備える煮こぼれレシーバ８１の右側に設けた排出部８１ｂから外部に排出され、正面視で右側に備える煮こぼれレシーバ８２の左側が下方に位置する形態で傾斜して、受け止めた煮汁が、正面視で右側に備える煮こぼれレシーバ８２の左側に設けた排出部８２ｂから外部に排出されることになる。
【００３８】
なお、この実施形態のガスコンロ１は、レシーバ保持部（切り欠き）１６１，１６２の底辺１６１ａ，１６２ａを所定の方向に傾斜するように（左右方向の中央側が低くなるように）構成して、煮こぼれレシーバ８１，８２の左右に設けた排出部８１ｂ，８２ｂのうちのいずれから、煮こぼれレシーバ８１，８２内の煮汁を排出するかを選択できる（この実施形態では煮こぼれレシーバ８１，８２を傾けて保持することにより、位置を低くした方の排出部８１ｂ，８２ｂから選択的に煮汁を排出させることができる）ようにしているので、ガスコンロ１に複数（この実施形態では２か所）の煮こぼれレシーバ８１，８２を設ける場合に、複数の煮こぼれレシーバ８１，８２を共通品で構成できることから、部品種類の低減による製造コストの低減を図ることが可能になる。
【００３９】
ただし、煮こぼれレシーバ８１，８２を傾けて保持することにより、位置を低くした方の排出部８１ｂ，８２ｂから選択的に煮汁を排出させるようにした構成は、本発明の必須の要件となるものではなく、この要件を備えていない構成とすることも可能である。
【００４０】
また、上記実施形態では、本発明によるガスコンロとして、ガステーブルコンロを例にとって説明したが、本発明はガステーブルコンロに限定されるものではなく、キッチンカウンターに組み込んで設置されるドロップインコンロにも適用することが可能である。
【００４１】
なお、本発明において、煮こぼれレシーバの一端側と、それを保持するレシーバ保持部の具体的な形状や構成に特別の制約はなく、煮こぼれレシーバの一端側に、上述のような係合構造部とは異なる構造の係合構造部を設け、レシーバ保持部をそれに対応する構造とすることも可能である。また、特別な係合構造部を設けず、煮こぼれレシーバの底部を、レシーバ保持部と係合させるように構成することも可能である。
【００４２】
また、本発明はさらにその他の点においても上記実施形態に限定されるものではなく、発明の範囲内において種々の応用、変形を加えることが可能である。
【符号の説明】
【００４３】
１                  ガスコンロ
２ａ                コンロ部
２ｂ                グリル
１０                コンロ本体
１１                前面パネル
２１，２２          コンロバーナ
２１ａ，２２ａ      炎孔
２１ｃ，２２ｃ      バーナ本体
２１ｂ，２２ｂ      炎孔部
２１ｄ，２２ｄ      内側空間
２１ｅ，２２ｅ      ガスノズル
３０                トッププレート
３１                コンロバーナ挿通口
４１（４１ａ，４１ｂ，４１ｃ）    点消火ボタン
４２        電池ケース
５１，５２，５３    火力調節レバー
６１，６２          バーナ受け桟
６１ａ，６２ａ      バーナ受け桟に設けた立設部
７１，７２          ノズルホルダー
７１ａ，７２ａ      レシーバ支持体
８１，８２          煮こぼれレシーバ
８１ａ，８２ａ      堰体
８１ｂ，８２ｂ      排出部（切り欠き）
８１ｃ，８２ｃ      煮こぼれレシーバの一端側の係合構造部
９１，９２          収容部（レシーバ収容空間）
１６１，１６２      レシーバ保持部（切り欠き）
１６１ａ，１６２ａ  レシーバ保持部（切り欠き）の底辺
【図１】
0006532340.tif 000002
【図２】
0006532340.tif 000003
【図３】
0006532340.tif 000004
【図４】
0006532340.tif 000005
【図５】
0006532340.tif 000006
【図６】
0006532340.tif 000007